(57)【特許請求の範囲】
【請求項１】
絶縁基板、該絶縁基板の一表面に設けられる透明導電膜、及び該透明導電膜に接続される電極対をそれぞれに備えた２つの電極板が、該透明導電膜を互いに導通接触可能に対向かつ離間させた相対配置で組み合わされる一対の電極板と、該一対の電極板の外縁領域に狭持され、それら電極板の前記電極対から延長される複数の導線の端部に個別に接続される複数の導線を有するフレキシブル配線板とを有するタッチパネルにおいて、
前記一対の電極板の前記透明導電膜を設けた面とは反対側の各々の面を、加圧して把持するようにされた、前記一対の電極板の４つの側面を覆うカバー（３０）と、
前記一対の電極板の前記透明導電膜を、前記フレキシブル配線板が狭持される部分で互いに離間させるスペーサ（３１）とを更に有し、
前記カバー（３０）は、取り外し可能となるように、前記４つの側面のうちの１の側面に対応する部分で不連続となる切断部（１４）と、前記フレキシブル配線板が狭持される前記部分に対応して設けられ、前記フレキシブル配線板が挿入される第１の挿入口（３９）とを有し、
前記スペーサ（３１）は、前記フレキシブル配線板が挿入される第２の挿入口（７）と、該第２の挿入口に挿入された前記フレキシブル配線板の前記複数の導線を、前記一対の電極板の前記電極対から延長される前記複数の導線の前記端部にそれぞれ接続する電極（３７、３８）とを有すること、
を特徴とするタッチパネル。
【請求項２】
絶縁基板、該絶縁基板の一表面に設けられる透明導電膜、該透明導電膜に接続される電極対、及び該電極対とは別の一対の導線を備える第１電極板と、
絶縁基板、該絶縁基板の一表面に設けられる透明導電膜、及び該透明導電膜に接続される電極対を備える第２電極板とが、
該透明導電膜を互いに導通接触可能に対向かつ離間させた相対配置で組み合わされ、前記第１電極板の前記一対の導線の一方の端部と前記第２電極板の前記電極対から延長される導線の端部とが互いに接続される一対の電極板と、
該一対の電極板の外縁領域に狭持され、前記第１電極板の前記一対の導線の他方の端部と前記第１電極板の前記電極対から延長される導線の端部とに個別に接続される複数の導線を有するフレキシブル配線板とを具備するタッチパネルにおいて、
前記一対の電極板の前記透明導電膜を設けた面とは反対側の各々の面を、加圧して把持するようにされた、前記一対の電極板の４つの側面を覆うカバー（３０）と、
前記一対の電極板の前記透明導電膜を、前記フレキシブル配線板が狭持される部分で互いに離間させるスペーサ（１３１）とを更に有し、
前記カバー（３０）は、取り外し可能となるように、前記４つの側面のうちの１の側面に対応する部分で不連続となる切断部（１４）と、前記フレキシブル配線板が狭持される前記部分に対応して設けられ、前記フレキシブル配線板が挿入される第１の挿入口（３９）とを有し、
前記スペーサ（１３１）は、前記フレキシブル配線板が挿入される第２の挿入口（１０７）と、前記第１電極板の前記一対の導線の前記一方の端部と前記第２電極板の前記電極対から延長される前記導線の前記端部とを互いに接続する第１電極（１３７）と、該第２の挿入口に挿入された前記フレキシブル配線板の前記複数の導線を、前記第１電極板の前記一対の導線の前記他方の端部と前記第１電極板の前記電極対から延長される前記導線の前記端部とに接続する第２電極（１３８）とを有すること、
を特徴とするタッチパネル。
【請求項３】
前記４つの側面を覆うカバーの縦断面がコの字型であることを特徴とする、請求項１または２に記載のタッチパネル。
【請求項４】
前記４つの側面を覆うカバーは、柔軟性のある絶縁体からなることを特徴とする、請求項１〜３のいずれか一項に記載のタッチパネル。
【請求項５】
前記柔軟性のある絶縁体は、ゴムまたはプラスチックであることを特徴とする、請求項４に記載のタッチパネル。
【発明の詳細な説明】
【技術分野】
【０００１】
ＩＴＯ（インジウムと錫との酸化物）等の透明導電膜を有する上部電極板と下部電極板とを所定の間隔を開けて対向させて形成されたタッチパネルは、指先等による上部電極板の押し下げで、上部電極板と下部電極板の透明導電膜を接触させ、電気的接続により、その押し下げ位置を検出する。従って、通常、上部電極板と下部電極板は、間隙を空けて接着剤などにより、貼り合せられている。
【背景技術】
【０００２】
タッチパネルの分野ではないが、特許文献１では、パーソナルコンピュータや携帯電話機等に用いられる電気光学装置及びその電気光学装置を用いた電子機器に関し、より簡単に電気光学装置からＣＣＦＴ（Cold Cathode Fluorescent Tube)等の照明装置等を取り外して、新しい照明装置等と交換できる、電気光学装置全体の省資源化、低コスト化を図ることが可能な電気光学装置及びその電気光学装置を用いた電子機器を開示している。
【０００３】
タッチパネルの分野ではないが、特許文献２では、プラズマディスプレイ装置に関し、プラズマディスプレイ装置の裏面にある、プラズマディスプレイパネル基板を支持するシャーシ部材の全面に保持部材を設け、プラズマディスプレイパネル基板を着脱自在に支持した、プラズマディスプレイ装置を開示している。
【０００４】
【特許文献１】特開２００５−３５２０３９号公報
【特許文献２】特開平１０−１８７０５９号公報
【発明の開示】
【発明が解決しようとする課題】
【０００５】
特許文献１の電気光学装置及びその電気光学装置を用いた電子機器では、電気光学装置から照明装置を取り外すのに、ネジ等の固定部材を外さなければならず、手間がかかるという問題があった。更に、照明装置を取り外し可能とするために、３種類のカバーを使用しており、小型化するのが難しいという問題があった。
【０００６】
特許文献２のプラズマディスプレイ装置でも、シャーシ部材の全面の保持部材からプラズマディスプレイパネル基板を取り外すのに、ボルトを外さなければならず、手間がかかるという問題があった。
【０００７】
本発明の目的は、上部電極板と下部電極板とを、接着剤や、ネジ等の固定部材を使用しないで、固定することが出来ると共に、必要に応じて簡単に上部基板と下部基板を分離させることができるタッチパネルを提供することである。
【課題を解決するための手段】
【０００８】
上記目的を達成するために、本発明によれば以下のような特徴を有するタッチパネルが提供される。
【０００９】
請求項１のタッチパネルでは、絶縁基板、絶縁基板の一表面に設けられる透明導電膜、及び透明導電膜に接続される電極対をそれぞれに備えた２つの電極板が、透明導電膜を互いに導通接触可能に対向かつ離間させた相対配置で組み合わされる一対の電極板と、一対の電極板の外縁領域に狭持され、それら電極板の電極対から延長される複数の導線の端部に個別に接続される複数の導線を有するフレキシブル配線板とを有するタッチパネルにおいて、一対の電極板の透明導電膜を設けた面とは反対側の各々の面を、加圧して把持するようにされた、一対の電極板の４つの側面を覆うカバーと、一対の電極板の透明導電膜を、フレキシブル配線板が狭持される部分で互いに離間させるスペーサとを更に有し、カバーは、取り外し可能となるように、４つの側面のうちの１の側面に対応する部分で不連続となる切断部と、フレキシブル配線板が狭持される部分に対応して設けられ、フレキシブル配線板が挿入される第１の挿入口とを有し、スペーサは、フレキシブル配線板が挿入される第２の挿入口と、第２の挿入口に挿入されたフレキシブル配線板の複数の導線を、一対の電極板の電極対から延長される複数の導線の端部にそれぞれ接続する電極とを有することを特徴とする。
【００１０】
請求項２のタッチパネルでは、絶縁基板、絶縁基板の一表面に設けられる透明導電膜、透明導電膜に接続される電極対、及び電極対とは別の一対の導線を備える第１電極板と、絶縁基板、絶縁基板の一表面に設けられる透明導電膜、及び透明導電膜に接続される電極対を備える第２電極板とが、透明導電膜を互いに導通接触可能に対向かつ離間させた相対配置で組み合わされ、第１電極板の一対の導線の一方の端部と第２電極板の電極対から延長される導線の端部とが互いに接続される一対の電極板と、一対の電極板の外縁領域に狭持され、第１電極板の一対の導線の他方の端部と第１電極板の電極対から延長される導線の端部とに個別に接続される複数の導線を有するフレキシブル配線板とを具備するタッチパネルにおいて、一対の電極板の透明導電膜を設けた面とは反対側の各々の面を、加圧して把持するようにされた、一対の電極板の４つの側面を覆うカバーと、一対の電極板の透明導電膜を、フレキシブル配線板が狭持される部分で互いに離間させるスペーサ（１３１）とを更に有し、カバーは、取り外し可能となるように、４つの側面のうちの１の側面に対応する部分で不連続となる切断部と、フレキシブル配線板が狭持される部分に対応して設けられ、フレキシブル配線板が挿入される第１の挿入口とを有し、スペーサは、フレキシブル配線板が挿入される第２の挿入口と、第１電極板の一対の導線の一方の端部と第２電極板の電極対から延長される導線の端部とを互いに接続する第１電極と、第２の挿入口に挿入されたフレキシブル配線板の複数の導線を、第１電極板の一対の導線の他方の端部と第１電極板の電極対から延長される導線の端部とに接続する第２電極とを有することを特徴とする。
【００１１】
請求項３のタッチパネルでは、請求項１または２に記載の発明において、４つの側面を覆うカバーの縦断面がコの字型であることを特徴とする。
【００１２】
請求項４のタッチパネルでは、請求項１〜３のいずれか一項に記載の発明において、４つの側面を覆うカバーは、柔軟性のある絶縁体からなることを特徴とする。
【００１３】
請求項５のタッチパネルでは、請求項４に記載の発明において、柔軟性のある絶縁体は、ゴムまたはプラスチックであることを特徴とする。
【発明の効果】
【００１４】
請求項１に記載の発明によれば、一対の電極板の透明導電膜を設けた面とは反対側の各々の面を、加圧して把持するようにされた、一対の電極板の４つの側面を覆うカバーを更に有し、４つの側面を覆うカバーは、取り外し可能となるように、１の側面でカバーが不連続となる、切断部を有しているので、接着剤や、ねじ等の固定部材を用いずに、一対の電極板を固定することが出来ると共に、接続部を一対の電極板から手で外すことにより、電極板を分離することができるので、電極板の故障による修理や、電極板を変更することによりタッチパネルの仕様の変更を、簡単に行なうことが可能となる。
【００１５】
請求項２に記載の発明によれば、第１電極板の複数の導線の一方の端部と第２電極板の電極対の複数の導線の端部を接続し、フレキシブル配線板の導線を、第１電極板の複数の導線の他方の端部と電極対の複数の導線の端部とに接続する構成のタッチパネルであっても、第一実施形態のタッチパネルと同様に、一対の電極板の透明導電膜を設けた面とは反対側の各々の面を、加圧して把持するようにされた、一対の電極板の４つの側面を覆うカバーを更に有し、４つの側面を覆うカバーは、取り外し可能となるように、１の側面でカバーが不連続となる、切断部を有しているので、接着剤や、ねじ等の固定部材を用いずに、一対の電極板を固定することが出来ると共に、接続部を一対の電極板から手で外すことにより、電極板を分離することができるので、電極板の故障による修理や、電極板を変更することによりタッチパネルの仕様の変更を、簡単に行なうことが可能となる。
【００１６】
請求項３に記載の発明によれば、４つの側面を覆うカバーの縦断面がコの字型であるので、一対の電極板へのカバーの取り付け、取り外しを簡単に行なうことが出来る。
【００１７】
請求項４に記載の発明によれば、４つの側面を覆うカバーは、柔軟性のある絶縁体からなるので、比較的簡単に変形するので、一対の電極板へのカバーの取り付け、取り外しを更に簡単に行なうことができる。
【００１８】
請求項５に記載の発明によれば、柔軟性のある絶縁体は、ゴムまたはプラスチックとすることができるので、タッチパネルの仕様に応じて、材料を選択することができる。
【発明を実施するための最良の形態】
【００１９】
以下、添付図面を参照して、本発明の実施の形態を詳細に説明する。全図面に渡り、対応する構成要素には共通の参照符号を付す。図１は、本発明の第一実施形態のタッチパネル１の斜視図を示す。図２は、タッチパネル１の斜視分解透視図を示す。図３は、図２のスペーサ３１をＡ方向から見たときの図を示す。図４は、図２のＡ-Ａ断面図を示す。
【００２０】
タッチパネル１は、絶縁基板２、絶縁基板２の一表面に設けられる透明導電膜３、及び透明導電膜３に接続される電極対４をそれぞれに備えた２つの電極板２が、透明導電膜３を互いに導通接触可能に対向かつスペーサ５とスペーサ３１により離間させた相対配置で組み合わされる一対の電極板６と、一対の電極板６の外縁領域９に狭持され、それら電極板６の電極対４の複数の導線３２の端部３５と導線３６の端部３３に個別に接続される複数の導線８と導線３４を有する、フレキシブル配線板１０とを有する。
【００２１】
タッチパネル１は、更に、一対の電極板６の透明導電膜３を設けた面とは反対側の各々の面１１を、加圧して把持するようにされた、一対の電極板６の４つの側面１２を覆うカバー３０を更に有し、４つの側面１２を覆うカバー３０は、取り外し可能となるように、１の側面１３でカバー３０が不連続となる、切断部１４を有し、フレキシブル配線板１０が狭持される部分の、４つの側面１２を覆うカバー３０には、フレキシブル配線板１０が挿入される挿入口３９を有している。
【００２２】
フレキシブル配線板１０が狭持される部分の、スペーサ３１は、フレキシブル配線板１０が挿入される挿入口７と、フレキシブル配線板１０の複数の導線８と導線３４を、一対の電極板６の電極対４の複数の導線３２の端部３５と複数の導線３６の端部３３にそれぞれ接続する電極３７と電極３８とを有する。
【００２３】
一対の電極板６の透明導電膜３を設けた面とは反対側の各々の面１１を、加圧して把持するようにされた、一対の電極板６の４つの側面１２を覆うカバー３０を更に有し、４つの側面１２を覆うカバー３０は、取り外し可能となるように、１の側面１３でカバー３０が不連続となる、切断部１４を有しているので、接着剤や、ねじ等の固定部材を用いずに、一対の電極板を固定することが出来ると共に、接続部を一対の電極板から手で外すことにより、電極板を分離することができるので、電極板の故障による修理や、電極板を変更することによりタッチパネルの仕様の変更を、簡単に行なうことが可能となる。
【００２４】
４つの側面１２を覆うカバー３０の縦断面がコの字型であるので、一対の電極板６へのカバー３０の取り付け、取り外しを簡単に行なうことが出来る。
【００２５】
４つの側面１２を覆うカバー３０は、柔軟性のある絶縁体からなるので、比較的簡単に変形するので、一対の電極板６へのカバー３０の取り付け、取り外しを更に簡単に行なうことができる。また、柔軟性のある絶縁体は、ゴムまたはプラスチックとすることができるので、タッチパネルの仕様に応じて、材料を選択することができる。
【００２６】
図５は、本発明の第二実施形態のタッチパネル１００の斜視分解部分透視図を示す。
図６は、図５のスペーサ１３１をＡ方向から見たときの図を示す。タッチパネル１００の斜視図は、図１のタッチパネル１の斜視図と同様である。
タッチパネル１００は、絶縁基板２、絶縁基板２の一表面に設けられる透明導電膜３、及び透明導電膜３に接続される電極対１０４を備える第１電極板１０６と、絶縁基板２、絶縁基板２の一表面に設けられる透明導電膜３、及び透明導電膜３に接続される電極対２０４を備える第２電極板２０６とが、透明導電膜３を互いに導通接触可能に対向かつスペーサ５とスペーサ１３１により離間させた相対配置で組み合わされ、第１電極板１０６の複数の導線３２の一方の端部２３５と第２電極板２０６の電極対２０４の複数の導線３６の端部３３が接続される一対の電極板３０６と、一対の電極板３０６の外縁領域９に狭持され、第１電極板１０６の複数の導線３２の他方の端部１３５と電極対１０４の複数の導線１３２の端部３３５に接続される複数の導線１３３を有するフレキシブル配線板１１０とを有する。
【００２７】
タッチパネル１００は、更に、一対の電極板３０６の透明導電膜３を設けた面とは反対側の各々の面１１を、加圧して把持するようにされた、一対の電極板３０６の４つの側面１２を覆うカバー３０を更に有し、４つの側面１２を覆うカバー３０は、取り外し可能となるように、１の側面１３でカバー３０が不連続となる、切断部１４を有し、フレキシブル配線板１１０が狭持される部分の、４つの側面１２を覆うカバー３０には、フレキシブル配線板１１０が挿入される挿入口３９を有している。
【００２８】
フレキシブル配線板１１０が狭持される部分のスペーサ１３１は、フレキシブル配線板１１０が挿入される挿入口１０７と、第１電極板１０６の複数の導線３２の一方の端部２３５と第２電極板２０６の電極対２０４の導線３６の端部３３を接続する第１電極１３７と、フレキシブル配線板１１０の導線１３３を、第１電極板１０６の複数の導線３２の他方の端部１３５と電極対１０４の複数の導線１３２の端部３３５とに接続する第２電極１３８と、を有する。
【００２９】
第１電極板１０６の複数の導線３２の一方の端部２３５と第２電極板２０６の電極対２０４の複数の導線３６の端部３３を接続し、フレキシブル配線板１１０の導線１３３を、第１電極板１０６の複数の導線３２の他方の端部１３５と電極対１０４の複数の導線１３２の端部３３５とに接続する構成のタッチパネルであっても、第一実施形態のタッチパネル１と同様に、一対の電極板３０６の透明導電膜３を設けた面とは反対側の各々の面１１を、加圧して把持するようにされた、一対の電極板３０６の４つの側面１２を覆うカバー３０を更に有し、４つの側面１２を覆うカバー３０は、取り外し可能となるように、１の側面１３でカバー３０が不連続となる、切断部１４を有しているので、接着剤や、ねじ等の固定部材を用いずに、一対の電極板を固定することが出来ると共に、接続部を一対の電極板から手で外すことにより、電極板を分離することができるので、電極板の故障による修理や、電極板を変更することによりタッチパネルの仕様の変更を、簡単に行なうことが可能となる。
【００３０】
４つの側面１２を覆うカバー３０の縦断面がコの字型であるので、一対の電極板３０６へのカバー３０の取り付け、取り外しを簡単に行なうことが出来る。
【００３１】
４つの側面１２を覆うカバー３０は、柔軟性のある絶縁体からなるので、比較的簡単に変形するので、一対の電極板３０６へのカバー３０の取り付け、取り外しを更に簡単に行なうことができる。また、柔軟性のある絶縁体は、ゴムまたはプラスチックとすることができるので、タッチパネルの仕様に応じて、材料を選択することができる。
【図面の簡単な説明】
【００３２】
【図１】第一実施形態のタッチパネル１の斜視図を示す。
【図２】第一実施形態のタッチパネル１の斜視分解部分透視図を示す。
【図３】図２のスペーサ３１をＡ方向から見た図を示す。
【図４】図２のＡ-Ａ断面図を示す。
【図５】第二実施形態のタッチパネル１００の分解斜視部分透視図を示す。
【図６】図５のスペーサ１３１をＡ方向から見た図を示す。
【符号の説明】
【００３３】
１    タッチパネル
２    絶縁基板
３    透明導電膜
４    電極対
５    スペーサ
６    一対の電極板
７    挿入口
８    導線
９    外縁領域
１０    フレキシブル配線板
１１    反対側の面
１２    ４つの側面１２を覆うカバー
１３    １の側面
１４    切断部
３０    ４つの側面を覆うカバー
３１    スペーサ
３２    複数の導線
３２    挿入口
３３    端部
３４    複数の導線
３５    端部
３６    複数の導線
３７    電極
３８    電極
３９    挿入口
【図１】
0004994219.tif 000002
【図２】
0004994219.tif 000003
【図３】
0004994219.tif 000004
【図４】
0004994219.tif 000005
【図５】
0004994219.tif 000006
【図６】
0004994219.tif 000007